(57)【特許請求の範囲】
【請求項１】
ハンドルと、指詰め防止部材と、指詰め防止部材のストッパーとを備え、ハンドルは、所定の待機位置から引戸閉じ側に傾けることができると共に、手を離すと待機位置に復帰するように引戸に軸支したものであり、指詰め防止部材は、ハンドルが引戸閉じ側に傾くのと連動して引戸の戸先側に突出し、且つハンドルが引戸閉じ側に傾いたままで没入方向に押されると没入するものであり、ストッパーは、没入した指詰め防止部材を没入位置に拘束すると共に、指詰め防止部材が突出したときにハンドルが待機位置に復帰すると指詰め防止部材を突出位置に拘束することを特徴とする引戸用ハンドル装置。
【請求項２】
ハンドルと、開きアシスト部材と、指詰め防止部材と、指詰め防止部材のストッパーとを備え、ハンドルは、所定の待機位置から引戸開き側及び引戸閉じ側に傾けることができると共に、手を離すと待機位置に復帰するように引戸に軸支したものであり、開きアシスト部材は、ハンドルが引戸開き側に傾くのと連動して引戸の戸先側に突出し、ハンドルが待機位置に復帰すると没入するものであり、指詰め防止部材は、ハンドルが引戸閉じ側に傾くのと連動して引戸の戸先側に突出し、且つハンドルが引戸閉じ側に傾いたままで没入方向に押されると没入するものであり、ストッパーは、指詰め防止部材が突出したときにハンドルが待機位置に復帰すると指詰め防止部材を突出位置に拘束することを特徴とする引戸用ハンドル装置。
【請求項３】
ハンドルは、基端部を垂直軸で引戸に軸支した上下２本のアームと、上下のアームの先端部同士を連結する掴みバーとを有し、一方のアームの基端部に開きアシスト部材の作動部が設けてあり、他方のアームの基端部にはストッパーの作動部が設けてあり、ハンドルが引戸開き側に傾くと、一方のアームの作動部が開きアシスト部材に当接して開きアシスト部材を戸先側に動かし、ハンドルが引戸閉じ側に傾くと、他方のアームの作動部がストッパーに当接してストッパーを指詰め防止部材の拘束を解除する方向に動かすことを特徴とする請求項２記載の引戸用ハンドル装置。
【発明の詳細な説明】
【技術分野】
【０００１】
本発明は、引戸用ハンドル装置に関する。
【背景技術】
【０００２】
近年、引き違いサッシ等の引戸障子は、複層ガラス化により重量が重くなっており、そのため引戸を勢いよく閉めたときに、引き手から手が離れて引戸が惰性で閉まり、戸先框と竪枠の間に指を挟んでケガをする危険性がある。これを防止するものとして、特許文献１には、引戸の戸先側に出没するストッパ部材を備え、引き手から手が離れて引戸が惰性で閉まろうとした際にストッパ部材が突出状態でロックされ、ストッパ部材により引戸の全閉が妨げられるようにした安全装置が記載されている。この安全装置は、引き手が引戸開閉方向にスライド可能に設けてあり、且つ反戸先側に向けてバネで付勢してあり、引き手に手指を掛けて引戸を閉じ側に引くと、引き手がバネの付勢力に抗して戸先側にスライドし、これに伴ってストッパ部材の没入を妨げる干渉部材がストッパ部材と干渉しない下方位置に退避するため、引き手に手指を掛けたまま引戸が閉まれば、ストッパ部材は引戸内に没入して引戸の全閉を妨げないようにしている。
なお、重い引戸の開き始めの初動操作をアシストするために、引戸にレバーハンドルと、レバーハンドルと連動して回動する開きアシスト部材を設けたものは、特許文献２などに記載されているように、公知である。
【特許文献１】特開２００１−２９５５４６号公報
【特許文献２】特開２００３−１３６３４号公報
【発明の開示】
【発明が解決しようとする課題】
【０００３】
手指を掛けて引く引き手は、指先に力のない子供やお年寄りなどにとって、引戸に力を伝え難く、引き手から手指が外れることも多いものであり、上記の特許文献１記載のものは、引戸を閉じようとしたときに引き手が横にスライドするため、こうした不都合が一層顕著になる。本発明は以上に述べたような実情に鑑み、指詰め防止機能を有し、重い引戸の開閉を容易に且つ自然に行うことができる引戸用ハンドル装置の提供を目的とする。
【課題を解決するための手段】
【０００４】
上記の課題を達成するために請求項１記載の発明による引戸用ハンドル装置は、ハンドルと、指詰め防止部材と、指詰め防止部材のストッパーとを備え、ハンドルは、所定の待機位置から引戸閉じ側に傾けることができると共に、手を離すと待機位置に復帰するように引戸に軸支したものであり、指詰め防止部材は、ハンドルが引戸閉じ側に傾くのと連動して引戸の戸先側に突出し、且つハンドルが引戸閉じ側に傾いたままで没入方向に押されると没入するものであり、ストッパーは、没入した指詰め防止部材を没入位置に拘束すると共に、指詰め防止部材が突出したときにハンドルが待機位置に復帰すると指詰め防止部材を突出位置に拘束することを特徴とする。
【０００５】
請求項２記載の発明による引戸用ハンドル装置は、ハンドルと、開きアシスト部材と、指詰め防止部材と、指詰め防止部材のストッパーとを備え、ハンドルは、所定の待機位置から引戸開き側及び引戸閉じ側に傾けることができると共に、手を離すと待機位置に復帰するように引戸に軸支したものであり、開きアシスト部材は、ハンドルが引戸開き側に傾くのと連動して引戸の戸先側に突出し、ハンドルが待機位置に復帰すると没入するものであり、指詰め防止部材は、ハンドルが引戸閉じ側に傾くのと連動して引戸の戸先側に突出し、且つハンドルが引戸閉じ側に傾いたままで没入方向に押されると没入するものであり、ストッパーは、指詰め防止部材が突出したときにハンドルが待機位置に復帰すると指詰め防止部材を突出位置に拘束することを特徴とする。
【０００６】
請求項３記載の発明による引戸用ハンドル装置は、請求項２記載の構成に加え、ハンドルは、基端部を垂直軸で引戸に軸支した上下２本のアームと、上下のアームの先端部同士を連結する掴みバーとを有し、一方のアームの基端部に開きアシスト部材の作動部が設けてあり、他方のアームの基端部にはストッパーの作動部が設けてあり、ハンドルが引戸開き側に傾くと、一方のアームの作動部が開きアシスト部材に当接して開きアシスト部材を戸先側に動かし、ハンドルが引戸閉じ側に傾くと、他方のアームの作動部がストッパーに当接してストッパーを指詰め防止部材の拘束を解除する方向に動かすことを特徴とする。
【発明の効果】
【０００７】
請求項１記載の発明による引戸用ハンドル装置は、引戸に軸支したハンドルを掴んで操作することで、引戸に力を伝えやすく、重い引戸の開閉を容易にすることができる。ハンドルは、待機位置から引戸閉じ側に傾けることができると共に、手を離すと待機位置に復帰するように引戸に軸支したものであり、引戸を閉じる際にはハンドルが待機位置から引戸閉じ側に傾いて引戸の閉鎖操作を自然に行うことができ、そのように自然にハンドルを操作するだけで、指詰め防止部材による指詰め防止機能が働くので、操作性が優れている。指詰め防止部材は、ハンドルが引戸閉じ側に傾くのと連動して引戸の戸先側に突出し、突出したときにハンドルが待機位置に復帰するとストッパーにより突出位置で拘束されるため、ハンドルから手が離れて引戸が惰性で閉じたときには、指詰め防止部材により戸先側での指詰めを防止できる。また指詰め防止部材は、ハンドルが引戸閉じ側に傾いたままで没入方向に押されると没入するので、ハンドルから手が離れずに引戸が正常に閉じられたときには、引戸の全閉を妨げない。さらに本発明の引戸用ハンドル装置は、ストッパーが、没入した指詰め防止部材を没入位置に拘束するため、引戸が開いた状態で指詰め防止部材に指や衣服等が引っ掛かることを防止できる。
【０００８】
請求項２記載の発明による引戸用ハンドル装置は、引戸に軸支したハンドルを掴んで操作することで、引戸に力を伝えやすく、重い引戸の開閉を容易にすることができる。ハンドルは、待機位置から引戸開き側及び引戸閉じ側に傾けることができると共に、手を離すと待機位置に復帰するように引戸に軸支したものであり、引戸の開閉操作に伴ってハンドルが待機位置から引戸開き側又は引戸閉じ側に傾いて引戸の開閉操作を自然に行うことができ、そのように自然にハンドルを操作するだけで、引戸を開く際には開きアシスト部材が戸先側に突出して開き始めの初動操作をアシストし、引戸を閉じる際には指詰め防止部材が指詰めを防止するので、操作性、機能性が極めて高い。指詰め防止部材は、ハンドルが引戸閉じ側に傾くのと連動して引戸の戸先側に突出し、突出したときにハンドルが待機位置に復帰するとストッパーにより突出位置で拘束されるため、ハンドルから手が離れて引戸が惰性で閉じたときには、指詰め防止部材により戸先側での指詰めを防止できる。また指詰め防止部材は、ハンドルが引戸閉じ側に傾いたままで没入方向に押されると没入するので、ハンドルから手が離れずに引戸が正常に閉じられたときには、引戸の全閉を妨げない。
【０００９】
請求項３記載の発明による引戸用ハンドル装置は、ハンドルを、基端部を垂直軸で引戸に軸支した上下２本のアームと、上下のアームの先端部を連結する掴みバーとで構成したので、引戸の開閉時に掴みバーが傾かないため、重い引戸の開閉がより一層容易に行える。また、一方のアームの基端部に開きアシスト部材の作動部を設け、他方のアームの基端部にストッパーの作動部を設けることで、簡単な構造によって開きアシスト部材とストッパーを引戸開閉時のハンドルの動きにそれぞれ連動させることができる。
【発明を実施するための最良の形態】
【００１０】
以下、本発明の実施の形態を図面に基づいて説明する。図２〜図６は、本発明の第一実施形態に係る引戸用ハンドル装置を示している。この引戸用ハンドル装置は、掃き出し窓のような大きく重い引戸の開閉を容易に行えるように、引戸１の戸先框１３の室内側面に取付けたものであり、図２と図３に示すように、戸先框１３の室内側面にビス１４ａ，１４ｂで取付けた台座１５と、台座１５から室内側に突出して設けたハンドル２とを有している。なお、図示のものは、室内側引戸用のものであるが、室外側引戸の戸先框にはこれと左右対称のものが取付けられる。
【００１１】
ハンドル２は、上下２本のアーム９ａ，９ｂが台座１５から室内側に突出し、両アーム９ａ，９ｂの先端部に丸棒状の掴みバー１０が連結してある。各アーム９ａ，９ｂの基端部は、図４と図５に示すように、台座１５の内部に挿入され、台座１５内に配置したアームホルダー１６に垂直軸１７で回動自在に軸支し、ねじりバネ５により所定の待機位置に復帰するように付勢してある。すなわち、図５に示すように、垂直軸１７の反戸先側にはバネ保持軸１８がアームホルダー１６を上下に貫通して設けてあり、垂直軸１７の戸先側にはバネ掛け軸１９がアーム９ａ，９ｂ基端部を上下に貫通して設けてあって、バネ保持軸１８にねじりバネ５を保持させ、ねじりバネ５の２本のアーム部５ａ，５ｂが、垂直軸１７とバネ掛け軸１９を室内外方向から挟むように引っ掛けてある。そのためハンドル２は、手を離した状態では、ねじりバネ５によって図５に示す待機位置に保持され、引戸１を開くために掴みバー１０を掴んで引戸開き側に引くと、図７（ａ）に示すように、ハンドル２は垂直軸１７を支点として待機位置から引戸開き側に２０°程度傾き、手を離すとねじりバネ５の力で待機位置に復帰する。反対に、引戸１を閉じるときには、図７（ｂ）に示すように、ハンドル２は垂直軸１７を支点として待機位置から引戸閉じ側に１０°程度傾き、手を離すとねじりバネ５により待機位置に復帰する。上側のアーム９ａの基端部には、開きアシスト部材８を動かすための作動部１１が室外側に向けて突出する板状に設けてあり、下側のアーム９ｂの基端部には、同じようにストッパー４を動かすための作動部１２が室外側に向けて突出する板状に設けてあり、引戸１を開く際にハンドル２が引戸開き側に傾いたときには、図７（ａ）に示すように、両作動部１１，１２は引戸閉じ側に向けて傾き、引戸１を閉じる際にハンドル２が引戸閉じ側に傾いたときには、図７（ｂ）に示すように、両作動部１１，１２は引戸開き側に向けて傾く。
【００１２】
台座１５は、横幅が約３０ミリで上下に長く形成してあり、図４と図６に示すように、台座１５の内部には、開きアシスト部材８と、指詰め防止部材３と、指詰め防止部材３のストッパー４を有している。台座１５の戸先側の側面には、開きアシスト部材８と指詰め防止部材３がそれぞれ出没する窓２０ａ，２０ｂが形成されている。台座１５の窓２０ａ，２０ｂに隣接した竪枠２１のアングル部には、図３に示すように、金属製のプレート３１が取付けてある。
開きアシスト部材８は、上下方向に長い棒状に形成され、上部を室内外方向のネジ１４ａで軸支し、中間部をハンドル２の上側のアーム９ａの作動部１１の戸先側に配置してある。開きアシスト部材８は、ネジ１４ａの周囲に保持させたねじりバネ２２により、台座１５内に没入する向きで付勢されており、ハンドル２が待機位置にある状態では、台座１５内に没入している。
指詰め防止部材３は、台座１５内の上下方向中間位置に、上部を室内外方向の軸２３で軸支して設けてある。指詰め防止部材３は、下部に戸先側に向けてのびる鎌状部２４を有し、鎌状部２４の下面には、後述するストッパー４の没入時用係止部６と係止する没入時用被係止部２５と、ストッパー４の突出時用係止部７と係止する突出時用被係止部２６とが形成してある。指詰め防止部材３は、軸２３の周囲に保持させたねじりバネ２７により、鎌状部２４が台座１５側面の窓２０ｂから突出する向きで付勢してあり、ハンドル２が待機位置にある状態では、ストッパー４の没入時用係止部６が没入時用被係止部２５に係止して没入位置で拘束されている。
ストッパー４は、指詰め防止部材３の下方に隣接して、室内外方向の軸２８で軸支して設けてある。ストッパー４の上面には突起状の没入時用係止部６を有し、戸先側端部に突出時用係止部７を有している。さらにストッパー４は、下側のアーム９ｂの作動部１２の反戸先側に隣接して垂下する係合部２９を有している。ストッパー４は、軸２８の周囲に保持させたねじりバネ３０により、没入時用係止部６と突出時用係止部７が指詰め防止部材３に当接する向きで付勢してある。
【００１３】
次に、図１に即して本引戸用ハンドル装置の動作を説明する。引戸１が全閉しハンドル２が待機位置にある状態では、図１（ａ）に示すように、開きアシスト部材８はねじりバネ２２の付勢力により没入位置に保持され、指詰め防止部材３はストッパー４の没入時用係止部６が没入時用被係止部２５に係止して没入位置に拘束されている。
引戸１を開ける際にハンドル２が引戸開き側に傾くと、図１（ｂ）に示すように、上側のアーム９ａの作動部１１が開きアシスト部材８を戸先側に押して動かし、開きアシスト部材８が台座の窓２０ａから引戸１の戸先側に突出して竪枠２１に取付けたプレート３１を押圧し、その反力によって引戸１が開き側に押されることから、開き始めが軽くなる。ハンドル２から手を離すと、ハンドル２は待機位置に復帰するので、開きアシスト部材８は台座１５内に没入する。この間、指詰め防止部材３は、ストッパー４により没入位置で拘束されたままである。
引戸１を閉じる際にハンドル２が引戸閉じ側に傾くと、図１（ｃ）に示すように、下側のアーム９ｂの作動部１２がストッパー４の係合部２９と当接してストッパー４を時計回りに回転させ、これにより没入時用係止部６が指詰め防止部材３から離れるため、指詰め防止部材３がねじりバネ２７の付勢力により反時計回りに回転し、鎌状部２４が引戸１の戸先側に突出する。その後、ハンドル２に手を掛けたまま引戸１が正常に閉じられると、ハンドル２が引戸閉じ側に傾いた状態で維持され、ストッパー４の没入時用係止部６が指詰め防止部材３から離れた位置にあるため、指詰め防止部材３は竪枠２１のプレート３１に当たって台座１５内に没入し、引戸１の全閉を妨げない。その後、ハンドル２から手を離すと、ハンドル２が待機位置に復帰するのに伴ってストッパー４がねじりバネ３０の付勢力によって反時計回りに回転し、ストッパー４の没入時用係止部６によって指詰め防止部材３が没入位置に拘束される。
引戸１を閉じる途中でハンドル２から手が離れ、ハンドル２が待機位置に復帰すると、図１（ｄ）に示すように、ストッパー４が下側のアーム９ｂの作動部１２に当接した状態で反時計回りに回転し、ストッパー４の突出時用係止部７に指詰め防止部材３の突出時用被係止部２６が係止して、指詰め防止部材３が突出位置で拘束される。これにより戸先框１３と竪枠２１との間に２〜３センチの隙間が形成されることから、指詰めを未然に防止できる。指詰め防止部材３を引っ込めるには、ハンドル２を引戸閉じ側に傾ければストッパー４が時計回りに回転して突出時用係止部７が指詰め防止部材３から離れるので、その状態で引戸１を全閉すればよい。
【００１４】
図８は、本発明の引戸用ハンドル装置の第二実施形態を示している。ハンドル２は、室内外方向の軸３２回りに回動するレバーハンドル形式のものとなっており、通常は引戸内に内蔵した付勢部材（図示省略）により実線で示す待機位置に保持され、引戸の開閉操作時には二点鎖線で示すように引戸開き側及び引戸閉じ側に傾き、手を離すと待機位置に復帰する。ハンドルの軸３２には、開きアシスト部材８の作動部１１とストッパーの作動部１２とが設けてあり、引戸開閉時にハンドル２が引戸開き側及び引戸閉じ側に傾くのに連動して、開きアシスト部材８と指詰め防止部材３とストッパー４とが、先に述べた第一実施形態のものと同じように作動する。
【００１５】
以上に述べたように、本引戸用ハンドル装置は、引戸１を開く際にはハンドル２が引戸開き側に傾き、そのハンドルの動きに連動して開きアシスト部材８が戸先側に突出して開き始めの初動操作がアシストされ、引戸１を閉じる際にはハンドル２が引戸閉じ側に傾き、そのハンドルの動きに連動してストッパー４を制御することで、ハンドル２から手が離れて引戸１が惰性で閉じたときだけ指詰め防止機能が働くようにしており、誰にでも引戸１の開閉を自然に行うことができて、開閉時に開き始めのアシスト機能と指詰め防止機能とが確実に発揮できる。また、引戸１が開いた状態では、開きアシスト部材８と指詰め防止部材３はいずれも台座１５内に没入しているので、開きアシスト部材８と指詰め防止部材３に指や衣服等が引っ掛かることがない。
さらに、第一実施形態のものでは、ハンドル２が傾いても掴みバー１０は鉛直に保たれるので、力をハンドル２から引戸１に伝え易く、重い引戸１でも楽に開閉できる。また、ハンドル２のアーム９ａ，９ｂを垂直軸１７で軸支すると共に、上下に長く形成した台座１５内に開きアシスト部材８と指詰め防止部材３とを収納したので、取り付けスペースの横幅が小さくでき、引き違いサッシの戸先框１３に容易に取付けできるし、意匠性も良好なものとなっている。
【００１６】
本発明は以上に述べた実施形態に限定されるものではなく、種々の変形が可能である。指詰め防止部材は、横にスライドして戸先側に出没するようにすることもできる。台座を設ける代わりに、引戸内に戸先側から埋め込むケースに指詰め防止部材等を収納したものであってもよい。また、ストッパー４は、図９に示すように、一つの係止部３３で没入時用係止部と突出時用係止部を兼用するものであってもよい。
【図面の簡単な説明】
【００１７】
【図１】第一実施形態において、ハンドルの操作状況に応じて開きアシスト部材と指詰め防止部材とストッパーが動く様子を示す台座内の断面図であって、（ａ）は引戸が全閉してハンドルが待機位置にある状態、（ｂ）は引戸を開く際にハンドルが引戸開き側に傾いたときの状態、（ｃ）は引戸を閉じる際にハンドルが引戸閉じ側に傾いたときの状態、（ｄ）は引戸が閉まる途中でハンドルが待機位置に復帰したときの状態を示している。
【図２】（ａ）は本発明の第一実施形態に係る引戸用ハンドル装置の正面図、（ｂ）は同引戸用ハンドル装置の戸先側から見た側面図である。
【図３】本発明の第一実施形態に係る引戸用ハンドル装置の平面図である。
【図４】図２のＡ−Ａ断面図である。
【図５】図２のＢ−Ｂ断面図である。
【図６】図２のＣ−Ｃ断面図である。
【図７】図２のＢ−Ｂ断面図であって、（ａ）は引戸を開く際にハンドルが引戸開き側に傾いたときの状態、（ｂ）は引戸を閉じる際にハンドルが引戸閉じ側に傾いたときの状態を示している。
【図８】本発明の引戸用ハンドル装置の第二実施形態を示す概略正面図である。
【図９】指詰め防止部材とストッパーの他の実施形態を示す概略正面図であって、（ａ）は指詰め防止部材を没入位置に拘束したときの状態、（ｂ）は指詰め防止部材を突出位置に拘束したときの状態を示している。
【符号の説明】
【００１８】
１  引戸
２  ハンドル
３  指詰め防止部材
４  ストッパー
５  ねじりバネ（付勢部材）
６  没入時用係止部  
７  突出時用係止部
８  開きアシスト部材
９ａ，９ｂ  アーム
１０  掴みバー
１１，１２  作動部
１７  垂直軸
【図１】
0004694375.tif 000002
【図２】
0004694375.tif 000003
【図３】
0004694375.tif 000004
【図４】
0004694375.tif 000005
【図５】
0004694375.tif 000006
【図６】
0004694375.tif 000007
【図７】
0004694375.tif 000008
【図８】
0004694375.tif 000009
【図９】
0004694375.tif 000010